(57)【要約】【課題】より少ないハードウェア資源によって特定のチャンネルで放送される情報を短時間で出力すること。【解決手段】選局制御部３０１は、操作部３１又は受光部３２から入力された、チャンネルを切り替えることを示す操作情報に応じて、放送波処理部Ａ２１、同Ｂ２２、同Ｃ２３それぞれが並行して選局処理などを実行する対象となる複数のチャンネルを、メモリ６１に記憶されたチャンネル順序情報を参照して決定する。また選局制御部３０１は、放送波処理部Ａ２１、同Ｂ２２、同Ｃ２３の何れのブロックから入力された１つのＴＳ信号を、ＴＳ信号処理部Ａ３０３及びＴＳ信号処理部Ｂ３０５へ出力するかをセレクタ３０２が選択するように制御する。デコーダ３０４からＴＳ信号処理部Ａ３０３へ入力された映像情報又は音声情報は、復号化されて表示器５１及びスピーカ５２から出力される。【選択図】  図３
2015039055.tif 000002
【特許請求の範囲】
【請求項１】
特定のチャンネルの放送波を処理する第１放送波処理手段と、
前記第１放送波処理手段とは独立したチャンネルの放送波を処理する第２放送波処理手段と、
前記第１放送波処理手段及び前記第２放送波処理手段とは独立したチャンネルの放送波を処理する第３放送波処理手段と、
前記第１乃至第３放送波処理手段のうちの１の放送波処理手段が処理した放送波に係る映像音声情報を出力するためにデコードするデコード手段と、
指定された第１チャンネルに対して、前記第１放送波処理部が前記第１チャンネルを処理すると共に前記デコード手段が前記第１放送波処理部が処理した前記第１チャンネルの映像音声情報をデコードし、前記第２放送波処理手段が所定の順序で前記第１チャンネルの次のチャンネルである第２チャンネルを処理し、前記第３放送波処理手段が前記所定の順序で前記第１チャンネルの前のチャンネルである第３チャンネルを処理するように制御する制御手段と、
を具備する放送波処理装置。
【請求項２】
前記第１乃至第３の放送波処理手段のうちの１の放送波処理手段が処理する放送波に係る映像音声情報を録画する処理を実行する録画処理手段をさらに具備し、前記制御手段は、前記録画処理手段による前記録画する処理が実行されない場合に、前記指定された第１チャンネルに対して、前記第１放送波処理部が前記第１チャンネルを処理すると共に前記デコード手段が前記第１放送波処理部が処理した前記第１チャンネルの映像音声情報をデコードし、前記第２放送波処理手段が前記所定の順序で前記第１チャンネルの次のチャンネルである第２チャンネルを処理し、前記第３放送波処理手段が前記所定の順序で前記第１チャンネルの前のチャンネルである第３チャンネルを処理するように制御することを特徴とする請求項１記載の放送波処理装置。
【請求項３】
前記制御手段は、前記第２チャンネルを処理することを指定された場合、前記第１放送波処理部が前記第１チャンネルの処理を継続し、前記第２放送波処理手段が前記第２チャンネルの処理を維持すると共に前記デコード手段が前記第２放送波処理部が処理した前記第２チャンネルの映像音声情報をデコードし、前記第３放送波処理手段が前記所定の順序で前記第２チャンネルの次のチャンネルである第４チャンネルを処理するように制御することを特徴とする請求項１記載の放送波処理装置。
【請求項４】
前記制御手段は、前記第３チャンネルを処理することを指定された場合、前記第１放送波処理部が前記第１チャンネルの処理を継続し、前記第２放送波処理手段が前記所定の順序で前記第３チャンネルの前のチャンネルである第５チャンネルを処理し、前記第３放送波処理手段が前記第３チャンネルの処理を維持すると共に前記デコード手段が前記第３放送波処理部が処理した前記第３チャンネルの映像音声情報をデコードするように制御することを特徴とする請求項１記載の放送波処理装置。
【請求項５】
前記所定の順序として、前記第１乃至第３の放送波処理手段のうちの１の放送波処理手段が処理する前記放送波のチャンネルを、昇順又は降順で切り替えるための操作に対応する前記チャンネルの切り替え順序に関する情報を記憶する記憶手段をさらに具備する請求項１記載の放送波処理装置。
【請求項６】
第１チャンネルの放送波を処理し、
前記第１チャンネルとは独立した第２チャンネルの放送波を処理し、
前記第１及び前記第２チャンネルとは独立した第３チャンネルの放送波を処理し、
前記第１乃至第３チャンネルのうちの１のチャンネルの放送波に係る映像音声情報を出力するためにデコードする放送波処理装置による放送波処理方法であって、
指定された前記第１チャンネルに対して、前記第１チャンネルを処理すると共に処理した前記第１チャンネルの映像音声情報をデコードし、前記第２チャンネルとして所定の順序で前記第１チャンネルの次のチャンネルを処理し、第３チャンネルとして前記所定の順序で前記第１チャンネルの前のチャンネルを処理するように制御する、
ことを特徴とする放送波処理方法。
【発明の詳細な説明】
【技術分野】
【０００１】
本発明の実施形態は、選局したチャンネルの放送を受信する放送受信装置及び放送受信方法に関する。
【背景技術】
【０００２】
近年、放送波の受信／復調のためのチューナ及びデモジュレータを複数備える放送受信機器が広く普及している。この放送受信機器は、放送波から抽出される映像音声情報の復号に用いられるデコーダを備えることが一般的である。
【０００３】
放送される情報のデジタル化に伴って、受信した放送波の復調や復号といった処理に所定時間を要することがある。例えば放送受信機器の利用者がチャンネルを切り替えた場合、切り替えたチャンネルの映像音声信号が出力されるまでに時間がかかっていた。すなわちデジタル放送のチャンネル切り替えで、映像音声信号の出力に対する即応性が求められている。
【０００４】
例えば特許文献１によれば、３つのチューナを備えたデジタル放送受信端末装置において、装置のユーザが次に指定する次チャンネル候補を予測する手法が開示されている。  また特許文献２によれば、２又は３つのフロントエンド部と２又は３つのＭＰＥＧデコーダとを備えたデジタル放送受信機において、チャンネル切替の指示に応じて素早く映像を出力する手法が開示されている。このフロントエンド部は特許文献１におけるチューナに相当する機能ブロックである。
【先行技術文献】
【特許文献】
【０００５】
【特許文献１】特開２０００−１０１４６７号公報  （図１  段落００１６）
【特許文献２】特開２００１−３０９２５８号公報  （図２  段落００３０）
【発明の概要】
【発明が解決しようとする課題】
【０００６】
しかし特許文献１では、３つのチューナそれぞれに対応する３つの番組情報保存部と３つの復号化部が設けられていた。
また特許文献２では、２又は３つのフロントエンド部それぞれは２つのトランスポートストリームを出力するものであった。そして、フロントエンド部から出力された複数のトランスポートストリームは、それぞれ独立して異なる２又は３つのＭＰＥＧデコータに入力されていた。
【０００７】
従ってこれらの手法では、例えばチャンネル切り替え時等において、より短い時間で映像音声出力を行うために、多くのハードウェア資源を必要としていた。すなわち従来の手法では、より少ないハードウェア資源によって特定のチャンネルで放送される情報を短時間で出力することができなかった。
【０００８】
そこで本発明の実施形態は、上述した課題を解決するために、より少ないハードウェア資源によって特定のチャンネルで放送される情報を短時間で出力することができる放送受信装置及び放送受信方法を提供することを目的とする。
【課題を解決するための手段】
【０００９】
本発明は上述した課題を解決するため、特定のチャンネルの放送波を処理する第１放送波処理手段と、前記第１放送波処理手段とは独立したチャンネルの放送波を処理する第２放送波処理手段と、前記第１放送波処理手段及び前記第２放送波処理手段とは独立したチャンネルの放送波を処理する第３放送波処理手段と、前記第１乃至第３放送波処理手段のうちの１の放送波処理手段が処理した放送波に係る映像音声情報を出力するためにデコードするデコード手段と、指定された第１チャンネルに対して、前記第１放送波処理部が前記第１チャンネルを処理すると共に前記デコード手段が前記第１放送波処理部が処理した前記第１チャンネルの映像音声情報をデコードし、前記第２放送波処理手段が所定の順序で前記第１チャンネルの次のチャンネルである第２チャンネルを処理し、前記第３放送波処理手段が前記所定の順序で前記第１チャンネルの前のチャンネルである第３チャンネルを処理するように制御する制御手段と、を具備する放送波処理装置を提供する。
【００１０】
また本発明は上述した課題を解決するため、第１チャンネルの放送波を処理し、前記第１チャンネルとは独立した第２チャンネルの放送波を処理し、前記第１及び前記第２チャンネルとは独立した第３チャンネルの放送波を処理し、前記第１乃至第３チャンネルのうちの１のチャンネルの放送波に係る映像音声情報を出力するためにデコードする放送波処理装置による放送波処理方法であって、指定された前記第１チャンネルに対して、前記第１チャンネルを処理すると共に処理した前記第１チャンネルの映像音声情報をデコードし、前記第２チャンネルとして所定の順序で前記第１チャンネルの次のチャンネルを処理し、第３チャンネルとして前記所定の順序で前記第１チャンネルの前のチャンネルを処理するように制御する、ことを特徴とする放送波処理方法を提供する。
【発明の効果】
【００１１】
本発明の実施形態によれば、より少ないハードウェア資源によって特定のチャンネルで放送される情報を短時間で出力することができる。
【図面の簡単な説明】
【００１２】
【図１】本発明の実施形態に係る放送受信装置であるテレビジョン受像機の構成を示すブロック図。
【図２】送信される信号それぞれに対応付けられた複数のキーが設けられたリモコンを示す図。
【図３】信号処理制御部に備えられ、指定されたチャンネル番号に基づいて、選局等を実行する複数のチャンネル及び、所定の処理を実行するチャンネルを決定する選局制御処理を実行する各ブロックからなるシステム構成図。
【図４】図１で説明した信号処理制御部によって実行される選局制御処理によって、放送波処理部Ａ、同Ｂ、同Ｃが選局等の処理を実行するように指示されるチャンネルの具体例を示す模式図。
【発明を実施するための形態】
【００１３】
以下、本発明の実施形態について図面を用いて説明する。
図１は、本発明の実施形態に係る放送受信装置であるテレビジョン受像機１０の構成を示すブロック図である。
本実施形態に係るテレビジョン受像機１０は、３つの放送波処理部Ａ２１，同Ｂ２２，同Ｃ２３、操作部３１、受光部３２、信号処理制御部４０、表示器５１、スピーカ５２、メモリ６１、ＨＤＤ６２などで構成されている。アンテナ９８は、放送波処理部Ａ２１，同Ｂ２２，同Ｃ２３と接続される。リモートコントローラ（以下、リモコンと称する）９９は受光部３２に対する信号を送信する。このリモコン９９は、赤外線や無線を利用する遠隔操作機器である。
【００１４】
本実施形態に係るテレビジョン受像機１０は、選局を指定されたチャンネルのチャンネル番号に基づいて、このチャンネルを含む複数の異なるチャンネルを複数の放送波処理部を利用して並行して選局などの処理を実行する。またテレビジョン受像機１０は、この複数のチャンネルに含まれる選局を指定されたチャンネルで放送される情報に対して所定の処理を実行する。本実施形態に係るテレビジョン受像機１０はこのような処理を実行するので、より少ないハードウェア資源によって特定のチャンネルで放送される情報を短時間で出力することができる。
【００１５】
放送波処理部Ａ２１，同Ｂ２２，同Ｃ２３それぞれは、同じ処理を実行する機能ブロックである。放送波処理部Ａ２１，同Ｂ２２，同Ｃ２３は、地上デジタル放送波に対応するチューナ及び復調器を備える。これら放送波処理部Ａ２１，同Ｂ２２，同Ｃ２３は、アンテナ９８で受信された受信信号を受け、この受信信号に対する特定チャンネルの選局処理や復調処理などを実行する。そして放送波処理部Ａ２１，同Ｂ２２，同Ｃ２３は、これらの処理を実行して得られた、番組の映像音声情報や番組名等の番組関連情報が含まれるトランスポートストリーム信号（以下、ＴＳ信号と称する）を信号処理制御部４０へ出力する。この放送波処理部Ａ２１，同Ｂ２２，同Ｃ２３それぞれは、指示されたチャンネルに対する選局処理などを互いに独立して実行する。放送波処理部Ａ２１，同Ｂ２２，同Ｃ２３は、地上デジタル放送ではなく衛星デジタル放送に対応する機能ブロックであってもよい。
【００１６】
操作部３１は、複数の操作キーを有し、複数の操作キーそれぞれに応じた操作情報を信号処理制御部４０へ出力する。同様に受光部３２は、リモコン９９から送信された信号を受光して、受光した信号に応じた操作情報を信号処理制御部４０へ出力する。この操作部３１及び／又はリモコン９９は、選局するチャンネルを所定の順序に基づく昇順又は降順で切り替えて指定するためのチャンネルアップキー及びチャンネルダウンキーを含む複数の操作キーを備えている。
【００１７】
信号処理制御部４０は、信号処理制御部４０自身に備えられた各ブロックや信号処理制御部４０に接続された各ブロックを利用して複数の処理を実行する。例えば信号処理制御部４０は、操作部３１又は、受光部３２を介したリモコン９９からの操作情報に応じて、放送波処理部Ａ２１，同Ｂ２２，同Ｃ２３といった入力ソースの何れかからのＴＳ信号の入力を選択する。また信号処理制御部４０は、選択した入力ソースから入力されたＴＳ信号に復号処理を施して、表示器５１へ映像情報を出力すると共にスピーカ５２へ音声情報を出力する。さらに信号処理制御部４０は、選択した入力ソースから入力されたＴＳ信号に対して記録するためのフォーマット変換処理を施し、処理を施して得られた情報をＨＤＤ６２に記憶させる。
【００１８】
本実施形態では信号処理制御部４０は、選局を指定されたチャンネルのチャンネル番号に基づいて、メモリ６１に記憶された情報を参照して、放送波処理部Ａ２１，同Ｂ２２，同Ｃ２３それぞれの処理対象となるチャンネル番号を決定する。決定されたチャンネル番号に対する処理の実行は、信号処理制御部４０から放送波処理部Ａ２１，同Ｂ２２，同Ｃ２３それぞれに対して指示される。また信号処理制御部４０は、放送波処理部Ａ２１，同Ｂ２２，同Ｃ２３それぞれから入力されるＴＳ信号のうち何れのＴＳ信号に対して出力又は記録するための処理を施すかを選択する。
【００１９】
表示器５１は、信号処理制御部４０から入力された映像信号を表示する表示パネルを含む表示モジュールである。表示器５１には、例えばＬＣＤ（Liquid Crystal Display）やＰＤＰ（Plasma Display Panel）といった薄型平面ディスプレイを適用することができる。本実施形態では表示器５１は、信号処理制御部４０で復号された特定のチャンネルの映像信号を短時間で表示する。
【００２０】
スピーカ５２は、信号処理制御部４０から入力された音声信号を出力する。スピーカ５２として、左右チャンネル用に２つ、更には、入力された音声信号の低音域を出力するためのサブウーハが設けられてもよい。
【００２１】
メモリ６１は、電源供給が遮断されても情報を記憶することができる不揮発性メモリである。このメモリ６１は信号処理制御部４０で実行されるプログラムデータを記憶する。またメモリ６１は、所定の操作に応じるための、受信可能な複数のチャンネルに対するチャンネル切り替え順序を示すチャンネル順序情報を記憶する。
【００２２】
ＨＤＤ６２は、記憶媒体であるハードディスクに対して信号処理制御部４０から要求された情報を読み出す処理又は書き込む処理を実行するドライブ装置である。このＨＤＤ６２は、信号処理制御部４０から出力される、記録するためのフォーマット変換処理を施された情報を記憶する。ＨＤＤ６２は、ハードディスクを利用するドライブ装置でなく、記憶媒体である半導体素子に対して情報を読み出す処理又は書き込む処理を実行するＳＳＤ（Solid State Drive）であってもよい。またこのＨＤＤ６２は、テレビジョン受像機１０の外部に備えられても良い。
【００２３】
テレビジョン受像機１０は、前述した複数のブロックだけでなく他のブロックを備えてもよい。
例えば、テレビジョン受像機１０の外部から受けた所定フォーマットの規格に準拠した態様の信号から必要な情報を抽出する情報抽出部を有し、外部とのインターフェース機能を実行するブロック（不図示）が備えられてもよい。所定フォーマットは、ＨＤＭＩ（登録商標）規格、ＵＳＢ規格又はＩＥＥＥ１３９４規格などである。このブロックは、これらの規格に準じた接続端子を介して接続された外部機器や、ＨＤＤ、メモリカードなどの記録媒体から受けた情報から抽出したＴＳ信号を信号処理制御部４０へ出力する。信号処理制御部４０は、入力ソースの一つとして、このブロックから入力されるＴＳ信号を選択することも可能である。
【００２４】
またテレビジョン受像機１０は、ＬＡＮ又はＷＡＮなどのネットワークを介して通信を行う通信処理部を有するネットワーク通信機能を実現するブロック（不図示）を備えてもよい。このブロックは、接続したネットワーク先の特定サーバや記録媒体などの情報提供源から、コンテンツの映像音声情報やコンテンツ関連情報が含まれる情報を受け、この情報に基づくＴＳ信号を信号処理制御部４０へ出力する。信号処理制御部４０は、入力ソースの一つとして、このブロックから入力されるＴＳ信号を選択することも可能である。
【００２５】
なお本実施形態は、本発明に係る構成を適用した放送受信装置として、テレビジョン受像機１０を例とした実施形態である。しかし本実施形態に係る構成が、パーソナルコンピュータ、携帯型移動端末装置、ＨＤＤ／光ディスクレコーダ、セットトップボックスなどの機器に適用された実施形態であっても構わない。すなわち本発明に係る実施形態では、例えば放送波種別、信号取得経路などといった項目において限定されるものではなく、特定チャンネルの放送波を処理する複数の構成部及び映像音声信号を出力するための処理を実行する１つの構成部を有する放送受信装置であればよい。
【００２６】
このような構成により、本発明の実施形態に係るテレビジョン受像機１０に備えられた複数のブロックは、指定されたチャンネルのチャンネル番号に基づいて、このチャンネルを含む複数の異なるチャンネルを並行して処理する。また、受信した複数のチャンネルから選局すべきチャンネルで放送される情報に対する所定の処理が実行される。従ってこのテレビジョン受像機１０は、より少ないハードウェア資源によって特定のチャンネルで放送される情報を短時間で出力することができる。これらの処理は、主に信号処理制御部４０が複数の処理を実行することで実現される。
【００２７】
次に、図２を用いて、図１で説明した受光部３２に対する信号を送信するリモコン９９に設けられた複数のキーを説明する。
図２は、送信される信号それぞれに対応付けられた複数のキーが設けられたリモコン９９を示す図である。
テレビジョン受像機１０の利用者は、リモコン９９に設けられた特定のキーを押下し、この押下されたキーに対応付けられた信号をリモコン９９から送信させてテレビジョン受像機１０を操作する。リモコン９９は、赤外線などを利用した無線による信号をテレビジョン受像機１０へ送信する。
【００２８】
メニューキー２０１は、テレビジョン受像機１０に対する様々な設定や操作を行うためのメニュー画面を表示器５１に表示／消去させるキーである。例えばメニュー画面には、リモコン９９による操作で切り替えられるチャンネル番号に対して、何れの放送局を割り当てるかを設定するためのチャンネル設定画面を表示させる項目を含む複数の項目が選択可能に提示される。
【００２９】
選局キー２０２の「１」から「１２」までのそれぞれの数字キーは、特定のチャンネルを選局するためのキーである。それぞれの数字キーに対して特定のチャンネル番号を対応付けること、又は、何れのチャンネル番号も対応づけないことが可能である。
【００３０】
方向キー２０３は、メニュー画面上やチャンネル設定画面上で特定の項目が選択候補となっていることを、この項目を強調表示して示すフォーカスマークを移動するためのキーである。
【００３１】
決定キー２０４は、メニュー画面上やチャンネル設定画面上のフォーカスマークによって選択候補となっている項目の選択を確定するためのキーである。
戻るキー２０５及び終了キー２０６は、表示されているメニュー画面やチャンネル設定画面を消去させるキーである。
チャンネルアップキー２０７は、所定の順序に基づく昇順で、現在選局されているチャンネルから新たに選局するチャンネルへと切り替えるためのキーである。またチャンネルダウンキー２０８は、所定の順序に基づく降順で、現在選局されているチャンネルから新たに選局するチャンネルへと切り替えるためのキーである。
【００３２】
このチャンネルアップキー２０７及びチャンネルダウンキー２０８が切り替える順序は、例えばチャンネルスキャンすることで得られる受信可能チャンネルのチャンネル番号順などを適用して設定される。また受信可能チャンネルの中でチャンネルの切り替えをスキップするように設定されたチャンネル番号は、チャンネルアップキー２０７及びチャンネルダウンキー２０８によるチャンネル切り替えではスキップされて選局されない。このようにして設定されたチャンネル切り替え順序は、チャンネル順序情報としてメモリ６１に記憶される。
【００３３】
リモコン９９には、前述した複数のキー以外にも多数のキーが設けられていても構わない。また、リモコン９９に設けられたキーによる動作と同様の動作を行わせるためのキーが、操作部３１に設けられていても構わない。
【００３４】
すなわちテレビジョン受像機１０の利用者は、リモコン９９に設けられた特定のキーを押下して、テレビジョン受像機１０が特定のチャンネルの選局や、チャンネル番号に対する放送局の割り当てなどの複数の処理を行うように操作することが可能である。
【００３５】
次に、図３を用いて、図１で説明した信号処理制御部４０に備えられ、指定されたチャンネル番号に基づいて、選局等を実行する複数のチャンネル及び、所定の処理を実行するチャンネルを決定する選局制御処理を実行する各ブロックの構成を説明する。
【００３６】
図３は、信号処理制御部４０に備えられ、指定されたチャンネル番号に基づいて、選局等を実行する複数のチャンネル及び、所定の処理を実行するチャンネルを決定する選局制御処理を実行する各ブロックからなるシステム構成図である。
【００３７】
本実施形態に係るテレビジョン受像機１０は、放送波処理部Ａ２１、同Ｂ２２、同Ｃ２３のうちの１つの放送波処理部からのＴＳ信号に基づく映像音声信号を表示器５１及びスピーカ５２に出力させ、残りの２つの放送波処理部からのＴＳ信号に基づく映像音声信号をＨＤＤ６２に記録させることができる。しかし本実施形態に係る選局制御処理は、ＨＤＤ６２に対する記録が行われない場合に、放送波処理部Ａ２１、同Ｂ２２、同Ｃ２３の何れかからのＴＳ信号に基づく映像音声信号を表示器５１及びスピーカ５２に出力させることができる場合に実行される。
【００３８】
信号処理制御部４０は、選局制御部３０１、セレクタ３０２、ＴＳ信号処理部Ａ３０３、デコーダ３０４、ＴＳ信号処理部Ｂ３０５などを備えている。
選局制御部３０１は、操作部３１又は受光部３２から入力された、チャンネルを切り替えることを示す操作情報に応じて、放送波処理部Ａ２１、同Ｂ２２、同Ｃ２３それぞれが並行して選局処理などを実行する対象となる複数のチャンネルを決定する。この複数のチャンネルは、選局制御部３０１がメモリ６１に記憶されたチャンネル順序情報を参照することで決定される。また選局制御部３０１は、決定したチャンネルを並行して処理するように、放送波処理部Ａ２１、同Ｂ２２、同Ｃ２３を制御する。さらに選局制御部３０１は、放送波処理部Ａ２１、同Ｂ２２、同Ｃ２３の何れのブロックから入力されたＴＳ信号を、ＴＳ信号処理部Ａ３０３及びＴＳ信号処理部Ｂ３０５へ出力するかをセレクタ３０２に選択させるように制御する。
【００３９】
セレクタ３０２は、選局制御部３０１からの制御に応じて、放送波処理部Ａ２１、同Ｂ２２、同Ｃ２３の何れのブロックから入力されたＴＳ信号を、ＴＳ信号処理部Ａ３０３及びＴＳ信号処理部Ｂ３０５へ出力するかを選択して切り替える。ＴＳ信号処理部Ａ３０３及びＴＳ信号処理部Ｂ３０５それぞれに対して出力されるＴＳ信号は独立して選択される。すなわち、ＴＳ信号処理部Ａ３０３及びＴＳ信号処理部Ｂ３０５それぞれに対して、放送波処理部Ａ２１、同Ｂ２２、同Ｃ２３のうち同じブロックからのＴＳ信号が出力されることも、異なるブロックからのＴＳ信号が出力されることもある。また選局制御処理が実行される場合、セレクタ３０２は、放送波処理部Ａ２１、同Ｂ２２、同Ｃ２３の何れのＴＳ信号もＴＳ信号処理部Ｂ３０５へ出力しない。
【００４０】
ＴＳ信号処理部Ａ３０３は、セレクタ３０２から入力されたＴＳ信号から映像情報及び音声情報を分離し、分離した映像情報及び音声情報をデコーダ３０４へ出力する。
【００４１】
デコーダ３０４は、ＴＳ信号処理部Ａ３０３から入力された映像情報又は音声情報に所定の処理を施して復号化する。そしてデコーダ３０４は、復号化した映像信号を表示器５１へ、復号化した音声信号をスピーカ５２へそれぞれ出力する。このデコーダ３０４は、ＭＰＥＧフォーマットに基づいて復号化した映像信号及び音声信号を表示器５１及びスピーカ５２へ出力する。
【００４２】
ＴＳ信号処理部Ｂ３０５は、セレクタ３０２から入力されたＴＳ信号から映像情報及び音声情報を含む複数の情報を分離し、分離した複数の情報をＨＤＤ６２に記憶させるために必要な所定の処理を施す。ＴＳ信号処理部Ｂ３０５は、所定の処理を施した情報をＨＤＤ６２に記憶させる。このＴＳ信号処理部Ｂ３０５はＴＳ信号の分離を行わず、ＴＳ信号処理部Ａ３０３が分離した複数の情報を受けて、記憶させるために必要な所定の処理を施してもよい。
【００４３】
すなわち、これら複数のブロックによるシステム構成により、信号処理制御部４０は、選局を指定されたチャンネルのチャンネル番号に基づいて、このチャンネルを含む複数の異なるチャンネルを、放送波処理部Ａ２１、同Ｂ２２、同Ｃ２３が並行して処理するように制御する。また信号処理制御部４０は、複数のチャンネルから選局すべきチャンネルで放送される情報に対する所定の処理を実行する。従ってこのテレビジョン受像機１０は、より少ないハードウェア資源によって特定のチャンネルで放送される情報を短時間で出力することができる。
【００４４】
次に、図４を用いて、図１で説明した信号処理制御部４０によって実行される選局制御処理によって、放送波処理部Ａ２１、同Ｂ２２、同Ｃ２３が選局等の処理を実行するように指示されるチャンネルの具体例を説明する。
【００４５】
図４は、図１で説明した信号処理制御部４０によって実行される選局制御処理によって、放送波処理部Ａ２１、同Ｂ２２、同Ｃ２３が選局等の処理を実行するように指示されるチャンネルの具体例を示す模式図である。
【００４６】
メモリ６１に記憶されるチャンネル順序情報は、チャンネル番号「１」の次はチャンネル番号「２」となるように、また、チャンネル番号「１」の前はチャンネル番号「１２」となるように設定されている。逆に言うと、このチャンネル順序情報では、チャンネル番号「１２」の次はチャンネル番号「１」となる。またこのチャンネル順序情報は、チャンネル番号「２」の次は、「３」、「４」、「５」、〜、「１０」、「１１」、「１２」という昇順のチャンネル順序情報が設定されている。当然ながら降順としては、昇順の逆のチャンネル番号を辿ることになる。
【００４７】
このようなチャンネル順序情報が設定されている状態で、例えば、リモコン９９に設けられたチャンネルアップキー２０７又はチャンネルダウンキー２０８によって、チャンネル番号「１」の選局が指定された場合を想定する。このとき放送波処理部Ａ２１は、チャンネル番号「１」を処理するように選局制御部３０１から指示される。また放送波処理部Ｂ２２がチャンネル番号「１」の前のチャンネル番号「１２」を処理するよう、放送波処理部Ｃ２３がチャンネル番号「１」の次のチャンネル番号「２」を処理するように選局制御部３０１から指示される。さらに選局制御部３０１は、チャンネル番号「１」を処理している放送波処理部Ａ２１からのＴＳ信号がＴＳ信号処理部Ａ３０３へ出力されるように、セレクタ３０２を制御する。
【００４８】
そして次に、チャンネルアップキー２０７によって、チャンネル番号「１」からチャンネル番号「２」へと選局を切り替えるように指定された場合、放送波処理部Ａ２１は、チャンネル番号「１」の処理を継続するように選局制御部３０１から指示される。放送波処理部Ｃ２３も同様に、チャンネル番号「２」の処理を継続するように指示される。しかし放送波処理部Ｂ２２は、チャンネル番号「１」の前のチャンネル番号「１２」ではなく、チャンネル番号「２」の次のチャンネル番号「３」を処理するように選局制御部３０１から指示される。さらに選局制御部３０１は、チャンネル番号「２」を処理している放送波処理部Ｃ２３からのＴＳ信号がＴＳ信号処理部Ａ３０３へ出力されるように、セレクタ３０２を制御する。
【００４９】
すなわちチャンネルアップキー２０７によって、昇順によるチャンネル番号の切り替えを指定されると、選局制御部３０１は、切り替え前のチャンネル番号及び、切り替え後のチャンネル番号それぞれを処理している２つの放送波処理部に対して処理を継続するように指示する。また選局制御部３０１は、切り替え前のチャンネル番号の前のチャンネル番号を処理していた放送波処理部に対しては、切り替え後のチャンネル番号の次のチャンネル番号を処理するように指示する。さらに選局制御部３０１は、切り替え後のチャンネル番号を処理している放送波処理部からのＴＳ信号がＴＳ信号処理部Ａ３０３へ出力されるように、セレクタ３０２を制御する。
【００５０】
また逆に、前述したチャンネル順序情報が設定されている場合に、放送波処理部Ａ２１はチャンネル番号「１」を、放送波処理部Ｂ２２がチャンネル番号「１２」を、放送波処理部Ｃ２３がチャンネル番号「２」を処理している状態で、チャンネルダウンキー２０８によって、チャンネル番号「１」からチャンネル番号「１２」へと選局を切り替えるように指定された場合を想定する。
【００５１】
この場合、放送波処理部Ａ２１はチャンネル番号「１」の処理を、放送波処理部Ｂ２２はチャンネル番号「１２」の処理をそれぞれ継続するように指示される。しかし放送波処理部Ｃ２３は、チャンネル番号「１」の次のチャンネル番号「２」ではなく、チャンネル番号「１２」の前のチャンネル番号「１１」を処理するように選局制御部３０１から指示される。さらに選局制御部３０１は、チャンネル番号「１２」を処理している放送波処理部Ｂ２２からのＴＳ信号がＴＳ信号処理部Ａ３０３へ出力されるように、セレクタ３０２を制御する。
【００５２】
すなわちチャンネルダウンキー２０８によって、降順によるチャンネル番号の切り替えを指定されると、選局制御部３０１は、切り替え前のチャンネル番号及び、切り替え後のチャンネル番号それぞれを処理している２つの放送波処理部に対して処理を継続するように指示する。また選局制御部３０１は、切り替え前のチャンネル番号の次のチャンネル番号を処理していた放送波処理部に対しては、切り替え後のチャンネル番号の前のチャンネル番号を処理するように指示する。さらに選局制御部３０１は、切り替え後のチャンネル番号を処理している放送波処理部からのＴＳ信号がＴＳ信号処理部Ａ３０３へ出力されるように、セレクタ３０２を制御する。
【００５３】
このようにして、指定されたチャンネルと、このチャンネルの前後の切り替え順序となる２つのチャンネルに対する処理が並行して実行される。そしてチャンネルアップキー２０７又はチャンネルダウンキー２０８によって、チャンネルの切り替えが指定されると、既に処理されたＴＳ信号が選択されて後段ブロックへ出力される。従ってこのテレビジョン受像機１０は、より少ないハードウェア資源によって特定のチャンネルで放送される情報を短時間で出力することができる。
【００５４】
以上説明したように本実施形態によれば、選局を指定されたチャンネルのチャンネル番号に基づいて、このチャンネルを含む複数の異なるチャンネルを並行して処理することができる。また次又は前のチャンネルへの切り替えが指定されると、既に処理されたＴＳ信号が選択されて後段ブロックへ出力される。こうして、指定されたチャンネルの選局や復号などの処理が指定前に行われているので、チャンネルが切り替えられた場合の映像音声が際めて短時間で出力される。
【００５５】
指定されたチャンネルの映像音声の出力するためには、この映像音声に対応するＴＳ信号に対するデコード処理は１系統で行われていればよい。例えば複数の放送波処理部からの複数のＴＳ信号を、複数のデコーダで並列してデコードすることも可能であるが、デコーダからの出力は１つのみ選択されるので、２つのデコーダの処理や構成は無駄になってしまう。
【００５６】
またデコーダからの出力を選択的に切り替えるためには、アナログ回路による選択回路を構成する必要がある。アナログ的な音声信号の切り替えでは、切り替え時のノイズ対策のためのＭＵＴＥ回路が必要になる。またアナログ的な映像信号の切り替えでは、高周波領域での特性のよい電子部品を利用する必要がある。すなわち複数の放送波を選択的に切り替えるためには、ＴＳ信号の段階で行うことが好ましいといえる。
【００５７】
従って本発明の実施形態に係るテレビジョン受像機１０は、より少ないハードウェア資源によって特定のチャンネルで放送される情報を短時間で出力することができる。
【００５８】
なお本発明は、前述した実施形態に限定されるものではなく、本発明の要旨を変えない範囲において、種々の変更、改変等が可能である。また、前述した実施形態に開示されている複数の構成要素を適宜に組み合わせることにより、種々の発明を形成することができる。例えば、実施形態に示される全構成要素から幾つかの構成要素を削除してもよく、さらに、異なる実施形態に係る構成要素を適宜組み合わせても良い。
【符号の説明】
【００５９】
１０…テレビジョン受像機、２１…放送波処理部Ａ、２２…放送波処理部Ｂ、２３…放送波処理部Ｃ、３１…操作部、３２…受光部、４０…信号処理制御部、５１…表示器、５２…スピーカ、６１…メモリ、６２…ＨＤＤ、９８…アンテナ、９９…リモコン、２０１…メニューキー、２０２…選局キー、２０３…方向キー、２０４…決定キー、２０５…戻るキー、２０６…終了キー、２０７…チャンネルアップキー、２０８…チャンネルダウンキー、３０１…選局制御部、３０２…セレクタ、３０３…ＴＳ信号処理部Ａ、３０４…デコーダ、３０５…ＴＳ信号処理部Ｂ。
【図１】
2015039055.tif 000003
【図２】
2015039055.tif 000004
【図３】
2015039055.tif 000005
【図４】
2015039055.tif 000006
【手続補正書】
【提出日】平成23年5月18日(2011.5.18)
【手続補正１】
【補正対象書類名】特許請求の範囲
【補正対象項目名】全文
【補正方法】変更
【補正の内容】
【特許請求の範囲】
【請求項１】
特定のチャンネルを連続的な昇順又は降順で切り替えて指定するチャンネル指定手段と、
前記指定された特定のチャンネルの放送波を処理する第１放送波処理手段と、
前記第１放送波処理手段が処理する前記チャンネルの放送波とは独立したチャンネルの放送波で、かつ前記第１放送波処理手段が処理する前記チャンネルの放送波の前または次のチャンネルの放送波を処理する第２放送波処理手段と、
前記第１放送波処理手段及び前記第２放送波処理手段が処理する前記チャンネルの放送波とは独立したチャンネルの放送波で、かつ前記第１放送波処理手段が処理する前記チャンネルの放送波の前または次のチャンネルのうちの前記第２放送波処理手段が処理するチャンネルとは異なるチャンネルの放送波を処理する第３放送波処理手段と、
前記第１乃至第３放送波処理手段のうちの１の放送波処理手段が処理した放送波に係る映像音声情報を出力するためにデコードするデコード手段と、
指定された第１チャンネルに対して、前記第１放送波処理部が前記第１チャンネルを処理すると共に前記デコード手段が前記第１放送波処理部が処理した前記第１チャンネルの映像音声情報をデコードし、前記第２放送波処理手段が所定の順序で前記第１チャンネルの次のチャンネルである第２チャンネルを処理し、前記第３放送波処理手段が前記所定の順序で前記第１チャンネルの前のチャンネルである第３チャンネルを処理するように制御する制御手段と、
を具備し、前記制御手段は、前記チャンネル指定手段が連続的な昇順によって前記第２チャンネルを処理することを指定された場合、前記第１放送波処理手段が前記第２チャンネルの前の第１チャンネルの処理を継続し、前記第２放送波処理手段が前記第２チャンネルの処理を維持すると共に前記デコード手段が前記第２放送波処理手段が処理した前記第２チャンネルの映像音声情報をデコードし、前記第３放送波処理手段が前記所定の順序で前記第２チャンネルの次のチャンネルである第３チャンネルを処理するように制御し、また前記チャンネル指定手段が連続的な降順によって前記第３チャンネルを処理することを指定された場合、前記第１放送波処理手段が前記第１チャンネルの処理を継続し、前記第２放送波処理手段が前記所定の順序で前記第３チャンネルの次のチャンネルである第４チャンネルを処理し、前記第３放送波処理手段が前記第３チャンネルの処理を維持すると共に前記デコード手段が前記第３放送波処理手段が処理した前記第３チャンネルの映像音声情報をデコードするように制御することを特徴とする放送波処理装置。
【請求項２】
前記第１乃至第３の放送波処理手段のうちの１の放送波処理手段が処理する放送波に係
る映像音声情報を録画する処理を実行する録画処理手段をさらに具備することを特徴とする請求項１記載の放送波処理装置。
【請求項３】
前記所定の順序として、前記第１乃至第３の放送波処理手段のうちの１の放送波処理手段が処理する前記放送波のチャンネルを、前記連続的な昇順又は降順で切り替えるための操作に対応する前記チャンネルの切り替え順序に関する情報を記憶する記憶手段をさらに具備する請求項１記載の放送波処理装置。
【請求項４】
連続的な昇順又は降順で第１チャンネルを指定し、
前記指定された第１チャンネルの放送波を処理し、
前記第１チャンネルとは独立した第２チャンネルの放送波で、かつ前記第１チャンネルの放送波の前または次のチャンネルの放送波を処理し、
前記第１及び前記第２チャンネルとは独立した第３チャンネルの放送波で、かつ前記第１チャンネルの放送波の前または次のチャンネルのうちの前記第２チャンネルとは異なるチャンネルの放送波を処理し、
前記第１乃至第３チャンネルのうちの１のチャンネルの放送波に係る映像音声情報を出力するためにデコードする放送波処理装置による放送波処理方法であって、
前記指定が連続的な昇順によって前記第２チャンネルを処理することの指定の場合、前記第２チャンネルの前の第１チャンネルの処理を継続し、前記第２チャンネルの処理を維持すると共に前記処理した前記第２チャンネルの映像音声情報をデコードし、前記所定の順序で前記第２チャンネルの次のチャンネルである第３チャンネルを処理するように制御し、また前記指定が連続的な降順によって前記第３チャンネルを処理することの指定の場合、前記第１チャンネルの処理を継続し、前記所定の順序で前記第３チャンネルの次のチャンネルである第４チャンネルを処理し、前記第３チャンネルの処理を維持すると共に前記処理した前記第３チャンネルの映像音声情報をデコードするように制御することを特徴とする放送波処理方法。
【手続補正２】
【補正対象書類名】明細書
【補正対象項目名】０００９
【補正方法】変更
【補正の内容】
【０００９】
本発明は上述した課題を解決するため、特定のチャンネルを連続的な昇順又は降順で切り替えて指定するチャンネル指定手段と、前記指定された特定のチャンネルの放送波を処理する第１放送波処理手段と、前記第１放送波処理手段が処理する前記チャンネルの放送波とは独立したチャンネルの放送波で、かつ前記第１放送波処理手段が処理する前記チャンネルの放送波の前または次のチャンネルの放送波を処理する第２放送波処理手段と、前記第１放送波処理手段及び前記第２放送波処理手段が処理する前記チャンネルの放送波とは独立したチャンネルの放送波で、かつ前記第１放送波処理手段が処理する前記チャンネルの放送波の前または次のチャンネルのうちの前記第２放送波処理手段が処理するチャンネルとは異なるチャンネルの放送波を処理する第３放送波処理手段と、前記第１乃至第３放送波処理手段のうちの１の放送波処理手段が処理した放送波に係る映像音声情報を出力するためにデコードするデコード手段と、指定された第１チャンネルに対して、前記第１放送波処理部が前記第１チャンネルを処理すると共に前記デコード手段が前記第１放送波処理部が処理した前記第１チャンネルの映像音声情報をデコードし、前記第２放送波処理手段が所定の順序で前記第１チャンネルの次のチャンネルである第２チャンネルを処理し、前記第３放送波処理手段が前記所定の順序で前記第１チャンネルの前のチャンネルである第３チャンネルを処理するように制御する制御手段と、を具備し、前記制御手段は、前記チャンネル指定手段が連続的な昇順によって前記第２チャンネルを処理することを指定された場合、前記第１放送波処理手段が前記第２チャンネルの前の第１チャンネルの処理を継続し、前記第２放送波処理手段が前記第２チャンネルの処理を維持すると共に前記デコード手段が前記第２放送波処理手段が処理した前記第２チャンネルの映像音声情報をデコードし、前記第３放送波処理手段が前記所定の順序で前記第２チャンネルの次のチャンネルである第３チャンネルを処理するように制御し、また前記チャンネル指定手段が連続的な降順によって前記第３チャンネルを処理することを指定された場合、前記第１放送波処理手段が前記第１チャンネルの処理を継続し、前記第２放送波処理手段が前記所定の順序で前記第３チャンネルの次のチャンネルである第４チャンネルを処理し、前記第３放送波処理手段が前記第３チャンネルの処理を維持すると共に前記デコード手段が前記第３放送波処理手段が処理した前記第３チャンネルの映像音声情報をデコードするように制御することを特徴とする放送波処理装置を提供する。
【手続補正３】
【補正対象書類名】明細書
【補正対象項目名】０００９
【補正方法】変更
【補正の内容】
【０００９】
また本発明は上述した課題を解決するため、連続的な昇順又は降順で第１チャンネルを指定し、前記指定された第１チャンネルの放送波を処理し、前記第１チャンネルとは独立した第２チャンネルの放送波で、かつ前記第１チャンネルの放送波の前または次のチャンネルの放送波を処理し、前記第１及び前記第２チャンネルとは独立した第３チャンネルの放送波で、かつ前記第１チャンネルの放送波の前または次のチャンネルのうちの前記第２チャンネルとは異なるチャンネルの放送波を処理し、前記第１乃至第３チャンネルのうちの１のチャンネルの放送波に係る映像音声情報を出力するためにデコードする放送波処理装置による放送波処理方法であって、前記指定が連続的な昇順によって前記第２チャンネルを処理することの指定の場合、前記第２チャンネルの前の第１チャンネルの処理を継続し、前記第２チャンネルの処理を維持すると共に前記処理した前記第２チャンネルの映像音声情報をデコードし、前記所定の順序で前記第２チャンネルの次のチャンネルである第３チャンネルを処理するように制御し、また前記指定が連続的な降順によって前記第３チャンネルを処理することの指定の場合、前記第１チャンネルの処理を継続し、前記所定の順序で前記第３チャンネルの次のチャンネルである第４チャンネルを処理し、前記第３チャンネルの処理を維持すると共に前記処理した前記第３チャンネルの映像音声情報をデコードするように制御することを特徴とする放送波処理方法を提供する。
【手続補正書】
【提出日】平成23年5月25日(2011.5.25)
【手続補正１】
【補正対象書類名】手続補正書
【補正対象項目名】手続補正３
【補正方法】変更
【補正の内容】
【手続補正３】
【補正対象書類名】明細書
【補正対象項目名】００１０
【補正方法】変更
【補正の内容】
【００１０】
また本発明は上述した課題を解決するため、連続的な昇順又は降順で第１チャンネルを指定し、前記指定された第１チャンネルの放送波を処理し、前記第１チャンネルとは独立した第２チャンネルの放送波で、かつ前記第１チャンネルの放送波の前または次のチャンネルの放送波を処理し、前記第１及び前記第２チャンネルとは独立した第３チャンネルの放送波で、かつ前記第１チャンネルの放送波の前または次のチャンネルのうちの前記第２チャンネルとは異なるチャンネルの放送波を処理し、前記第１乃至第３チャンネルのうちの１のチャンネルの放送波に係る映像音声情報を出力するためにデコードする放送波処理装置による放送波処理方法であって、前記指定が連続的な昇順によって前記第２チャンネルを処理することの指定の場合、前記第２チャンネルの前の第１チャンネルの処理を継続し、前記第２チャンネルの処理を維持すると共に前記処理した前記第２チャンネルの映像音声情報をデコードし、前記所定の順序で前記第２チャンネルの次のチャンネルである第３チャンネルを処理するように制御し、また前記指定が連続的な降順によって前記第３チャンネルを処理することの指定の場合、前記第１チャンネルの処理を継続し、前記所定の順序で前記第３チャンネルの次のチャンネルである第４チャンネルを処理し、前記第３チャンネルの処理を維持すると共に前記処理した前記第３チャンネルの映像音声情報をデコードするように制御することを特徴とする放送波処理方法を提供する。